(57)【要約】【課題】綴じ処理された冊子を排紙台上に積載するとき、冊子に打ち込まれた綴じ針の位置が複数の冊子同士で重なり合い、分厚くなる事を解消する。【解決手段】画像形成装置Ａから排出される用紙Ｓを、搬送手段により綴じ処理部３０に搬送して、綴じ処理部３０の用紙載置台３５上に積載し、整合手段３６により整列された複数枚の用紙Ｓに綴じ手段４０により綴じ処理を行い、綴じ処理されて作製された冊子Ｓａを排紙部より排紙台上に排出する後処理装置ＦＳにおいて、綴じ処理部３０から昇降排紙台６２上に排出される冊子Ｓａを用紙排出方向に直交する用紙幅方向にシフトさせる冊子直交移動手段７０を昇降排紙台６２に設けた。【選択図】　　　　図３
2004026399.tif 000002
【特許請求の範囲】
【請求項１】
画像形成装置から排出される用紙を、搬送手段により綴じ処理部に搬送して、綴じ処理部の用紙載置台上に積載し、整合手段により整列された複数枚の用紙に綴じ手段により綴じ処理を行い、綴じ処理されて作製された冊子を排紙部より排紙台上に排出する用紙後処理装置において、
前記綴じ処理部から前記排紙台上に排出される冊子を用紙排出方向に直交する用紙幅方向にシフトさせる冊子直交移動手段を前記排紙台に設けたことを特徴とする用紙後処理装置。
【請求項２】
前記冊子直交移動手段は、冊子の幅方向に冊子をシフトさせる移動可能な用紙案内部材を前記排紙台上に配置した構成をなし、綴じ処理された冊子が排出される都度、前記用紙案内部材が冊子を用紙幅方向に移動させて、前記排紙台上に排出される複数の冊子同士の綴じ部が積重しないようにすることを特徴とする請求項１に記載の用紙後処理装置。
【請求項３】
画像形成装置から排出される用紙を、搬送手段により綴じ処理部に搬送して、綴じ処理部の用紙載置台上に積載し、整合手段により整列された複数枚の用紙に綴じ手段により綴じ処理を行い、綴じ処理されて作製された冊子を排紙部より排紙台上に排出する用紙後処理装置において、
前記綴じ処理部から前記排紙台上に排出される冊子を用紙排出方向に直交する用紙幅方向にシフトさせる冊子直交移動手段を前記綴じ処理部の用紙載置台に設けたことを特徴とする用紙後処理装置。
【請求項４】
前記冊子直交移動手段は、前記用紙載置台上の綴じ処理された冊子を幅方向にシフトさせる移動可能な用紙案内部材を配置し、綴じ処理された冊子を冊子の幅方向に移動させて、前記排紙台上に排出し、前記排紙台上に載置される複数の冊子同士の綴じ部が積重しないようにすることを特徴とする請求項３に記載の用紙後処理装置。
【請求項５】
画像形成装置から排出される用紙を、搬送手段により綴じ処理部に搬送して、綴じ処理部の用紙載置台上に積載し、整合手段により整列された複数枚の用紙に綴じ手段により綴じ処理を行い、綴じ処理されて作製された冊子を排紙部より排紙台上に排出する用紙後処理装置において、
前記綴じ処理部から前記排紙台上に排出される冊子を用紙排出方向にシフトさせる冊子直進移動手段を前記排紙台に設けたことを特徴とする用紙後処理装置。
【請求項６】
前記冊子直進移動手段は、冊子の排出方向にシフトさせる移動可能な可動手段を前記排紙台上に配置した構成をなし、綴じ処理された冊子が排出される都度、前記可動手段を冊子の進行方向に移動させて、前記排紙台上に排出される複数の冊子同士の綴じ部が積重しないようにすることを特徴とする請求項５に記載の用紙後処理装置。
【請求項７】
前記冊子直進移動手段の可動手段は、前記排紙台上に直進移動可能に設けた可動排紙皿であることを特徴とする請求項５又は６に記載の用紙後処理装置。
【請求項８】
前記冊子直進移動手段の可動手段は、前記排紙台上に回動可能に設けた搬送ベルトであることを特徴とする請求項５又は６に記載の用紙後処理装置。
【請求項９】
画像形成装置から排出される用紙を、搬送手段により綴じ処理部に搬送して、綴じ処理部の用紙載置台上に積載し、整合手段により整列された複数枚の用紙に綴じ手段により綴じ処理を行い、綴じ処理されて作製された冊子を排紙部より排紙台上に排出する用紙後処理装置において、
前記排紙部は一対の排出ローラ対と移動手段とから成り、前記用紙後処理装置の冊子排出開口部近傍において、前記排出ローラ対は前記移動手段により冊子排出方向に移動され、冊子の排出位置を可変にすることを特徴とする用紙後処理装置。
【請求項１０】
画像形成装置から排出される用紙を、搬送手段により綴じ処理部に搬送して、綴じ処理部の用紙載置台上に積載し、整合手段により整列された複数枚の用紙に綴じ手段により綴じ処理を行い、綴じ処理されて作製された冊子を排紙部より排紙台上に排出する用紙後処理装置において、
前記排紙部は一対の排出ローラ対と駆動手段とから成り、前記排出ローラ対の排紙線速を可変に制御して前記排紙台上に排出させる冊子の載置位置を可変にさせて、前記排紙台上に排出される複数の冊子同士の綴じ部が積重しないようにすることを特徴とする用紙後処理装置。
【請求項１１】
画像形成装置から排出される用紙を、搬送手段により綴じ処理部に搬送して、綴じ処理部の用紙載置台上に積載し、整合手段により整列された複数枚の用紙に綴じ手段により綴じ処理を行い、綴じ処理されて作製された冊子を排紙部より排紙台上に排出する用紙後処理装置において、
前記綴じ処理部から前記排紙台上に排出される冊子を用紙排出方向に直交する用紙幅方向にシフトさせる冊子直交移動手段と、
前記綴じ処理部から前記排紙台上に排出される冊子を用紙排出方向にシフトさせる冊子直進移動手段と、を設けたことを特徴とする用紙後処理装置。
【発明の詳細な説明】
【０００１】
【発明の属する技術分野】
本発明は、電子写真複写機、プリンタ、ファクシミリ、及びこれらの諸機能を有する複合機等の画像形成装置により画像が記録された用紙に対して、綴じ処理を行う用紙後処理装置に関するものである。
【０００２】
【従来の技術】
近年、複写機、プリンタ、これらの複合機等の画像形成装置により画像が形成された画像記録用紙に対して、ファイル綴じ可能にする後処理装置が提供されている。
【０００３】
特開平８−３１９０５４号公報に記載されている製本装置は、複写機の排出部から排出される複数枚の画像記録用紙を堆積した状態で綴じ処理する製本装置である。
【０００４】
【発明が解決しようとする課題】
従来の綴じ処理を行う用紙後処理装置においては、以下の課題がある。
【０００５】
従来の用紙後処理装置においては、画像形成装置から排出される用紙を綴じ処理して、作製された冊子を排紙より排出して排紙台上に積載すると、冊子に打ち込まれた綴じ針の位置が複数の冊子同士で重なり合い、冊子の綴じ針の打針部分が分厚くなり、排紙台上に積載される冊子の収容枚数が、綴じ処理を行わない用紙の積載枚数に対して著しく減少してしまう。
【０００６】
特に、少数枚数の用紙を綴じ処理して作製された冊子を、排紙台上に多数部積載した場合には、冊子の綴じ針の打針部分が著しく分厚くなり、この分厚くなった部分に、後続の冊子の先端部が突き当たり排紙不良を発生する。このため、大量の冊子を積載する事ができず、用紙後処理装置に接続する画像形成装置の駆動を頻繁に停止させ、排紙台上に積載された冊子を除去しなければならなかった。
【０００７】
【課題を解決するための手段】
上記課題は、以下の本発明の用紙後処理装置により解決される。
【０００８】
（１）　画像形成装置から排出される用紙を、搬送手段により綴じ処理部に搬送して、綴じ処理部の用紙載置台上に積載し、整合手段により整列された複数枚の用紙に綴じ手段により綴じ処理を行い、綴じ処理されて作製された冊子を排紙部より排紙台上に排出する用紙後処理装置において、前記綴じ処理部から前記排紙台上に排出される冊子を用紙排出方向に直交する用紙幅方向にシフトさせる冊子直交移動手段を前記排紙台に設けたことを特徴とする用紙後処理装置。
【０００９】
（２）　画像形成装置から排出される用紙を、搬送手段により綴じ処理部に搬送して、綴じ処理部の用紙載置台上に積載し、整合手段により整列された複数枚の用紙に綴じ手段により綴じ処理を行い、綴じ処理されて作製された冊子を排紙部より排紙台上に排出する用紙後処理装置において、前記綴じ処理部から前記排紙台上に排出される冊子を用紙排出方向に直交する用紙幅方向にシフトさせる冊子直交移動手段を前記綴じ処理部の用紙載置台に設けたことを特徴とする用紙後処理装置。
【００１０】
（３）　画像形成装置から排出される用紙を、搬送手段により綴じ処理部に搬送して、綴じ処理部の用紙載置台上に積載し、整合手段により整列された複数枚の用紙に綴じ手段により綴じ処理を行い、綴じ処理されて作製された冊子を排紙部より排紙台上に排出する用紙後処理装置において、前記綴じ処理部から前記排紙台上に排出される冊子を用紙排出方向にシフトさせる冊子直進移動手段を前記排紙台に設けたことを特徴とする用紙後処理装置。
【００１１】
（４）　画像形成装置から排出される用紙を、搬送手段により綴じ処理部に搬送して、綴じ処理部の用紙載置台上に積載し、整合手段により整列された複数枚の用紙に綴じ手段により綴じ処理を行い、綴じ処理されて作製された冊子を排紙部より排紙台上に排出する用紙後処理装置において、前記排紙部は一対の排出ローラ対と移動手段とから成り、前記用紙後処理装置の冊子排出開口部近傍において、前記排出ローラ対は前記移動手段により冊子排出方向に移動され、冊子の排出位置を可変にすることを特徴とする用紙後処理装置。
【００１２】
（５）　画像形成装置から排出される用紙を、搬送手段により綴じ処理部に搬送して、綴じ処理部の用紙載置台上に積載し、整合手段により整列された複数枚の用紙に綴じ手段により綴じ処理を行い、綴じ処理されて作製された冊子を排紙部より排紙台上に排出する用紙後処理装置において、前記排紙部は一対の排出ローラ対と駆動手段とから成り、前記排出ローラ対の排紙線速を可変に制御して前記排紙台上に排出させる冊子の載置位置を可変にさせて、前記排紙台上に排出される複数の冊子同士の綴じ部が積重しないようにすることを特徴とする用紙後処理装置。
【００１３】
（６）　画像形成装置から排出される用紙を、搬送手段により綴じ処理部に搬送して、綴じ処理部の用紙載置台上に積載し、整合手段により整列された複数枚の用紙に綴じ手段により綴じ処理を行い、綴じ処理されて作製された冊子を排紙部より排紙台上に排出する用紙後処理装置において、前記綴じ処理部から前記排紙台上に排出される冊子を用紙排出方向に直交する用紙幅方向にシフトさせる冊子直交移動手段と、前記綴じ処理部から前記排紙台上に排出される冊子を用紙排出方向にシフトさせる冊子直進移動手段と、を設けたことを特徴とする用紙後処理装置。
【００１４】
【発明の実施の形態】
次に、本発明の用紙後処理装置の実施の形態を図面に基づいて説明する。
【００１５】
［画像形成装置］
図１は画像形成装置Ａ、画像読み取り装置Ｂ、用紙後処理装置（以下、後処理装置と称す）ＦＳから成る画像形成システムの全体構成図である。図２は画像形成システムの外観斜視図である。
【００１６】
画像形成装置Ａは、回転する像担持体１の周囲に、帯電手段２、像露光手段（書き込み手段）３、現像手段４、転写手段５Ａ、除電手段５Ｂ、及びクリーニング手段６を配置した画像形成手段を有する。画像形成手段は、帯電手段２によって像担持体１の表面に一様帯電を行った後に、像露光手段３のレーザビームによって原稿から読み取られた画像データに基づく露光走査を行って潜像を形成し、該潜像を現像手段４により反転現像して像担持体１の表面にトナー像を形成する。
【００１７】
用紙収納部７Ａから給紙された用紙Ｓは転写位置へと送られる。転写位置において転写手段５Ａにより前記トナー像が用紙Ｓ上に転写される。その後に、用紙Ｓは除電手段５Ｂにより裏面の電荷が消去されて像担持体１から分離され、搬送部７Ｂにより搬送され、引き続き定着手段８により加熱定着され、排紙ローラ７Ｃから排出される。
【００１８】
用紙Ｓの両面に画像形成を行う場合には、定着手段８により加熱定着された用紙Ｓを、搬送路切り替え板７Ｄにより通常の排紙通路から分岐し、反転搬送部７Ｅにおいてスイッチバックして表裏反転した後、再び画像形成部を通過し、用紙Ｓの裏面に画像を形成し、定着手段８を経て、排紙ローラ７Ｃから装置外に排出される。排紙ローラ７Ｃから排出された用紙Ｓは、後処理装置ＦＳの受入部１１に送り込まれる。
【００１９】
像担持体１の画像処理後の表面は、クリーニング手段６により表面に残留している現像剤が除去され、次の画像形成に備える。
【００２０】
画像形成装置Ａの前面側の上部には操作部９が配置されている。
画像形成装置Ａの上部には、原稿移動型読み取り方式の自動原稿送り装置を備えた画像読み取り装置Ｂが設置されている。
【００２１】
［用紙後処理装置］
画像形成装置Ａに接続する後処理装置ＦＳは、入口搬送部１０、シフト処理部２０、綴じ処理部３０、綴じ手段（ステイプル手段）４０、表紙給紙部５０、及び排紙部６０とから構成されている。
【００２２】
入口搬送部１０は画像形成装置Ａから排出された用紙Ｓを各処理部に搬送する。シフト処理部２０は入口搬送部１０から搬送された用紙Ｓをシフト処理区分けして後述の昇降排紙台６２に排出する。綴じ処理部３０は入口搬送部１０から搬送された用紙Ｓを積載して、後述の綴じ手段４０により端綴じ処理を行う。表紙給紙部５０は表紙用紙（以下、表紙と称す）Ｋを給紙してシフト処理部２０または綴じ処理部３０に搬送する。
【００２３】
排紙部６０は、画像形成装置Ａから排出された用紙Ｓを入口搬送部１０を経由して後処理を行わず直接排紙して収容する上部排紙台６１と、シフト処理または綴じ処理された用紙Ｓを収容する昇降排紙台６２とを有する。
【００２４】
・後処理装置ＦＳの用紙搬送経路
図３は後処理装置ＦＳの用紙搬送経路を示す模式図である。
【００２５】
後処理装置ＦＳは画像形成装置Ａから搬出された用紙Ｓの受入部１１が画像形成装置Ａの排紙ローラ７Ｃと合致するよう位置と高さを調節して設置されている。
【００２６】
受入部１１の入口部ローラ１２の用紙搬送方向下流に接続する用紙Ｓの搬送路は、上段の第１搬送路▲１▼と中段の第２搬送路▲２▼及び下段の第３搬送路▲３▼の３系統に分岐されていて、切換手段Ｇ１，Ｇ２の占める角度の選択により用紙Ｓが何れかの搬送路に給送されるようになっている。
【００２７】
・上部排紙台６１に排紙
画像形成装置Ａから排出された画像形成済みの用紙Ｓは、受入部１１に導入され、入口部ローラ１２により搬送されて、上方の第１の切換手段Ｇ１の右方の通路１３を通過して、上方の搬送ローラ対１４に挟持、搬送され、更に搬送ローラ１５により挟持、搬送された後、排紙ローラ１６に挟持されて機外上部の上部排紙台６１上に排出され、順次積載される（第１搬送路▲１▼）。
【００２８】
この用紙搬送過程では、切換手段Ｇ１は通路１７を閉止し、通路１３を開放状態にして、用紙Ｓの上部排紙台６１への通過を可能にする。
【００２９】
この上部排紙台６１には最大約２００枚の用紙Ｓを収容することが可能であり、操作者は後処理装置ＦＳの上部から容易に取り出すことができる。
【００３０】
・シフト処理又はノンソート
この搬送モードに設定されると、切換手段Ｇ１は通路１３を閉止し、通路１７を開放状態に保持し、用紙Ｓの通路１７の通過を可能にする。
【００３１】
画像形成装置Ａから排出された画像形成済みの用紙Ｓは、受入部１１、入口部ローラ１２を通過し、切換手段Ｇ１の下方に開放状態に形成された通路１７を通過して、搬送ローラ１８に挟持されて、第２搬送路▲２▼である斜め下方の第２の切換手段Ｇ２の上方の通路２１を通過して、搬送ローラ２２に挟持され、通路２３を経て、搬送ローラ（シフトローラ）２４に挟持され、排紙ローラ対２６により機外の昇降排紙台６２上に排出、載置される（第２搬送路▲２▼）。
【００３２】
この昇降排紙台６２には最大約３０００枚の用紙Ｓを収容することが可能である。
【００３３】
・綴じ処理
画像形成装置Ａ内で画像形成処理されて、後処理装置ＦＳの受入部１１に送り込まれた画像形成済みの用紙Ｓは、入口部ローラ１２、第１の切換手段Ｇ１の下方の通路１７を通過して、搬送ローラ１８に挟持されて、第３搬送路▲３▼に搬送される。
【００３４】
第３搬送路▲３▼において、用紙Ｓは切換手段Ｇ２の下方の通路３１を通過して、下流の搬送ローラ３２により挟持、搬送される。用紙Ｓは、更に下流の搬送ローラ３４により挟持されて送り出され、傾斜配置された用紙載置台３５の上方空間に排出され、用紙載置台３５または用紙載置台３５上に積載された用紙Ｓの上面に接し、滑走上昇したのち、搬送ローラ３４から用紙Ｓの進行方向後端部が排出されたのちには、用紙Ｓの自重により下降に転じ、用紙載置台３５の傾斜面上を滑落し、綴じ手段４０近傍の突き当て部材４１の用紙突き当て面に用紙Ｓの進行方向先端部が当接して停止する。
【００３５】
この停止位置において、用紙載置台３５上に所定枚数の用紙Ｓが積載され、幅整合手段３６により幅整合され、綴じ手段４０によって用紙Ｓが綴じ合わされる。
【００３６】
綴じ手段４０は、用紙載置台３５上に積載される用紙Ｓの下面側に位置し綴じ針ＳＰを打ち込む打針機構部と、用紙Ｓの上面側に位置し綴じ針ＳＰを折り曲げる受針機構部とから構成されている。
【００３７】
綴じ手段４０により綴じ処理された用紙Ｓは、排出ベルト３８の排出爪３８ａにより用紙Ｓの後端部を保持されて、用紙載置台３５の載置面上を滑走して斜め上方に押し上げられ、回転する排紙ローラ対２６に挟持されて、昇降排紙台６２上に排出、積載される。
【００３８】
・表紙給紙
表紙給紙部５０から給紙された１枚の表紙Ｋは、第４搬走路▲４▼の通路５１を通過して、搬送ローラ対１４の挟持位置を通過し、通路１９、搬送ローラ１８を通過した後、第３搬送路▲３▼の通路３１、搬送ローラ３２、通路３３、搬送ローラ３４を経て、用紙載置台３５上に到達する。
【００３９】
［第１の実施の形態］
図４は、冊子直交移動手段７０の第１の実施の形態を示し、図４（ａ）は後処理装置ＦＳの昇降排紙台６２、冊子直交移動手段７０及び排紙ローラ対２６の平面図、図４（ｂ）は昇降排紙台６２及び冊子ＳａのＡ−Ａ断面図である。
【００４０】
後処理装置ＦＳの排紙ローラ対２６により排出される各種サイズの冊子Ｓａは、昇降排紙台６２上に中心線ＣＬのセンタ基準で載置される。
【００４１】
昇降排紙台６２の奥側には、冊子直交移動手段７０の用紙案内部材７１が移動手段により用紙排出方向に直交する方向に移動可能に設けられている。移動手段は昇降排紙台６２の底面側に設けられ、モータＭ１、歯車列Ｚ１、ワイヤ７２、係止部材７３、駆動プーリ７４、従動プーリ７５、ガイド部７６等から成る。
【００４２】
モータＭ１の駆動により、歯車列Ｚ１を介して駆動プーリ７４が回転する。駆動プーリ７４と従動プーリ７５を巻回するワイヤ７２の一端は、係止部材７３により用紙案内部材７１に係止されている。昇降排紙台６２の底部に形成されたガイド部７６は、用紙案内部材７１を用紙搬送方向に直交する用紙幅方向に移動可能に案内する。
【００４３】
駆動プーリ７４の駆動回転により、ワイヤ７２が回動し、係止部材７３を介して用紙案内部材７１が、用紙搬送方向に直交する用紙幅方向に直線移動する。
【００４４】
綴じ処理部３０から昇降排紙台６２上に排出される冊子Ｓａは、冊子直交移動手段により用紙排出方向に直交する用紙幅方向にシフトされる。
【００４５】
冊子直交移動手段７０は、綴じ処理された冊子Ｓａが昇降排紙台６２上に排出される都度、用紙案内部材７１が冊子Ｓａの幅方向に移動して、昇降排紙台６２上に排出される複数の冊子Ｓａ１，Ｓａ２，Ｓａ３同士の綴じ針ＳＰが重ならないようにする。このように複数の冊子Ｓａ１，Ｓａ２，Ｓａ３をずらせて載置する事により、昇降排紙台６２上の冊子積載部数の増大が可能となる。
【００４６】
また、昇降排紙台６２上に積載される冊子Ｓａの傾き発生が防止され、冊子Ｓａの落下が回避される。更に、昇降排紙台６２上に積載される冊子Ｓａを、まとまったジョブ間に仕切る事も可能である。
【００４７】
［第２の実施の形態］
図５は、第２の実施の形態の冊子直交移動手段を備えた綴じ処理部３０の平面図である。
【００４８】
綴じ処理部３０は、打針機構部と受針機構部とで構成した２組の綴じ手段４０と、用紙搬送方向に直交する方向の用紙幅方向を整合する整合手段３６と、用紙搬送方向の用紙先端部を規制する突き当て部材４１と、綴じ処理される用紙Ｓ及び綴じ処理された冊子Ｓａを載置する用紙載置台３５とにより構成したものである（図３参照）。
【００４９】
綴じ処理部３０において、モータＭ２は２本の排出ベルト３８を回動させ、モータＭ３は整合手段３６の２個の幅整合板３６Ａ，３６Ｂを移動させ、モータＭ４は２個の綴じ手段４０を移動させる。
【００５０】
モータＭ３の駆動により、歯車列Ｚ２を介して駆動プーリ３６１が回転する。駆動プーリ３６１と従動プーリ３６２を巻回するワイヤ３６３の一端は、係止部材３６４，３６５により幅整合板３６Ａ，３６Ｂに係止されている。用紙載置台３５の底部に形成された図示しないガイド部は、幅整合板３６Ａ，３６Ｂを用紙搬送方向に直交する用紙幅方向に移動可能に案内する。
【００５１】
駆動プーリ３６１の駆動回転により、ワイヤ３６３が回動し、係止部材３６４，３６５を介して幅整合板３６Ａ，３６Ｂが、用紙搬送方向に直交する用紙幅方向に直線移動する。
【００５２】
係止部材３６５は図示しない係脱手段により、幅整合板３６Ｂとワイヤ３６３との係止を接続及び離間させる。
【００５３】
幅整合板３６Ａ，３６Ｂの待機位置における最大間隔は、最大幅の用紙Ｓの幅間隔より広く設定されている。
【００５４】
操作部９において、綴じ処理が設定されると、画像形成装置Ａから排出されて、後処理装置ＦＳに搬送される用紙Ｓは、用紙載置台３５上に載置され、突き当て部材４１に用紙Ｓの進行方向先端部が当接して停止する。用紙載置台３５上に用紙Ｓが進入するに先立って、幅整合板３６Ａ，３６Ｂは用紙Ｓを受け入れるために、最大間隔の待機位置に待機する。
【００５５】
制御手段は、用紙載置台３５上に用紙Ｓが載置される都度、幅整合板３６Ａ，３６ＢをモータＭ３により駆動させ、用紙Ｓの幅方向の中央側に移動させ、用紙Ｓの両側端部を押圧して幅整合を行う。用紙載置台３５上に所定枚数の用紙Ｓが積載されて幅整合された後、綴じ手段４０によって冊子Ｓａが綴じ処理される。
【００５６】
綴じ処理終了後、幅整合板３６Ａ，３６Ｂは一旦初期位置に退避した後、一方の幅整合板３６Ａのみが前進駆動されて、冊子Ｓａ１の側端部を押圧して、幅方向に所定距離シフトさせる。この時、他方の幅整合板３６Ｂは、係脱手段により、幅整合板３６Ｂと回動するワイヤ３６３との係止が解除され、待機位置に停止している。
【００５７】
シフト処理された冊子Ｓａ１は排出ベルト３８により排出され、昇降排紙台６２上に載置される。
【００５８】
綴じ処理された後続の冊子Ｓａ２に対しては、幅整合板３６Ａは異なる所定距離で前進駆動されて、冊子Ｓａ２の側端部を押圧して、幅方向にシフトさせる。同様に、綴じ処理された更に後続の冊子Ｓａ３に対しても、幅整合板３６Ａは異なる所定距離で前進駆動されて、冊子Ｓａ３の側端部を押圧して、幅方向にシフトさせる。
【００５９】
冊子Ｓａ１，Ｓａ２，Ｓａ３の各シフト処理の移動距離は異なるように設定されているから、昇降排紙台６２上に積載された各冊子の綴じ針ＳＰの打針位置は一致する事はなく、積載された冊子Ｓａ１，Ｓａ２，Ｓａ３の綴じ部近傍の盛り上がりは解消される。
【００６０】
これにより、昇降排紙台６２上の冊子積載部数の増大や、昇降排紙台６２上に積載される冊子Ｓａ１，Ｓａ２，Ｓａ３の上面の傾斜発生の防止や、まとまったジョブ間の仕切りに有効である。
【００６１】
［第３の実施の形態］
図６は、第３の実施の形態の冊子直進移動手段を備えた排紙部６０の断面図である。
【００６２】
昇降排紙台６２には、エンドレス状の可動の排出ベルト（可動手段）６３から成る冊子直進移動手段が配置されている。排出ベルト６３は、駆動ローラ６４と従動ローラ６５とを巻回して回動する。駆動ローラ６４と従動ローラ６５は、回転軸に対して偏芯して取り付けられ、１回転により排出ベルト６３を所定長さ前進させると共に、排出ベルト６３の上面側が昇降排紙台６２の用紙載置面から昇降する。
【００６３】
綴じ処理されない用紙Ｓを昇降排紙台６２に排出する時には、排出ベルト６３の上面側が昇降排紙台６２の用紙載置面から埋没した状態に保持され、用紙Ｓは昇降排紙台６２の用紙載置面上に載置される。
【００６４】
綴じ処理された冊子Ｓａを昇降排紙台６２に排出する時には、排出ベルト６３の上面側が昇降排紙台６２の用紙載置面から突出して回動する。
【００６５】
排紙ローラ対２６に挟持されて排出される第１の冊子Ｓａ１は、昇降排紙台６２の用紙載置面上に載置される。第２の冊子Ｓａ２が排紙ローラ対２６に挟持されて排出されるに先だって、排出ベルト６３が回動されて所定長さ前進して停止する。第２の冊子Ｓａ２は排出ベルト６３上に載置された第１の冊子Ｓａ１の上面に位相をずらせて積載される。
【００６６】
同様にして、第３の冊子Ｓａ３は排出ベルト６３上に載置された第２の冊子Ｓａ２の上面に位相をずらせて積載される。このようにして、昇降排紙台６２の用紙載置面上に排出される複数の冊子Ｓａ１，Ｓａ２，Ｓａ３は進行方向に位相をずらせて積載されるから、冊子Ｓａ１，Ｓａ２，Ｓａ３同士の綴じ部が積重せず、嵩張る事はない。
【００６７】
図７は、他の実施の形態の冊子直進移動手段を備えた排紙部６０の断面図である。
【００６８】
昇降排紙台６２には、可動排紙皿（可動手段）６６と駆動手段とから成る冊子直進移動手段が配置されている。可動排紙皿６６はカム６７により昇降可能に支持されると共に、図示しない駆動手段により昇降排紙台６２の用紙載置面上を用紙排出方向に所定間隔で移動する。
【００６９】
これにより、図７に示す実施の形態と同様に、複数の冊子Ｓａ１，Ｓａ２，Ｓａ３は進行方向に位相をずらせて昇降排紙台６２上に積載されるから、冊子同士の綴じ部が積重せず、嵩張る事はないから、昇降排紙台６２上の冊子積載部数の増大や、昇降排紙台６２上に積載される冊子Ｓａの上面傾斜発生の防止や、まとまったジョブ間の仕切りに有効である。
【００７０】
［第４の実施の形態］
図８は、第４の実施の形態の冊子直進移動手段を備えた排紙部６０の断面図である。
【００７１】
後処理装置ＦＳの排紙部には、排紙ローラ対２６を有する排紙ローラユニット２６０と、排紙ローラユニット２６０を用紙排出方向に移動させる移動手段とから成る冊子直進移動手段が配置されている。用紙後処理装置ＦＳの冊子排出開口部近傍において、排紙ローラユニット２６０は図示しない移動手段により冊子Ｓａの排出方向に移動され、冊子Ｓａの排出位置を可変にする。
【００７２】
排紙ローラユニット２６０が用紙排出方向に前進又は後退する事により、昇降排紙台６２の用紙載置面上に冊子Ｓａが載置される位置が前後に変化して、冊子Ｓａ同士がずれた状態で載置される。
【００７３】
これにより、冊子Ｓａ同士の綴じ部が積重せず、嵩張る事はないから、昇降排紙台６２上の冊子積載部数の増大や、昇降排紙台６２上に積載される冊子の傾き発生の防止や、まとまったジョブ間の仕切りに有効である。
【００７４】
［第５の実施の形態］
排紙部６０には、第５の実施の形態の冊子直進移動手段が配置されている。
【００７５】
後処理装置ＦＳの排紙部は、排紙ローラ対２６と駆動手段とから成る。図示しない制御手段は、排紙ローラ対２６の排紙線速を可変に制御して昇降排紙台６２の用紙載置面上に排出させる冊子Ｓａの載置位置を可変にさせる。
【００７６】
これにより、昇降排紙台６２の上に排出される複数の冊子Ｓａ同士の綴じ部が積重しないようになるから、昇降排紙台６２上の冊子積載部数の増大や、昇降排紙台６２上に積載される冊子Ｓａの上面傾斜発生の防止や、まとまったジョブ間の仕切りに有効である。
【００７７】
［第６の実施の形態］
図４、図５に示す冊子直交移動手段と、図６、図７に示す冊子直進移動手段とを組み合わせる事により、昇降排紙台６２の用紙載置面上に排出される複数の冊子Ｓａを、冊子排出方向に直交する用紙幅方向と、冊子排出方向に相互にずらせて載置する。
【００７８】
図９は、昇降排紙台６２の用紙載置面上に載置された冊子Ｓａの配置を示す平面図である。排紙ローラ対２６に挟持されて排出される冊子Ｓａは、用紙排出方向Ｘ、用紙幅方向Ｙ、及びこれらを組み合わせた複合方向Ｗに小刻みに移動されて、昇降排紙台６２の用紙載置面上に積載される。
【００７９】
図１０は、用紙排出方向に移動可能なＸ方向移動台７７と、用紙排出方向に直交する用紙幅方向に移動可能なＹ方向移動台７８とから成る複合移動手段の平面図である。
【００８０】
Ｘ方向移動台７７とＹ方向移動台７８とは、図示しない駆動手段により各方向に小刻みに移動される。Ｘ方向のみの排出方向駆動、Ｙ方向のみの用紙幅方向駆動、Ｘ方向とＹ方向とを合成したＷ方向の合成駆動は、画像形成装置Ａの操作部９において選択的に設定される。
【００８１】
Ｘ方向移動台７７上に載置された冊子Ｓａは、Ｘ方向移動台７７によりＸ方向に移動され、Ｙ方向移動台７８によりＹ方向に移動され、Ｘ方向移動台７７とＹ方向移動台７８との合成移動によりＷ方向に移動される。
【００８２】
この冊子Ｓａの複合移動により、複数の冊子同士の綴じ部が積重しないようになるから、昇降排紙台６２上の冊子積載部数のさらなる増大や、昇降排紙台６２上に積載される冊子Ｓａの上面傾斜発生の防止や、まとまったジョブ間の仕切り等に有効である。
【００８３】
なお、本発明の実施の形態では、複写機に接続した後処理装置を示したが、プリンタ、ファクシミリ等の画像形成装置に接続して使用する後処理装置の排紙部や、画像形成装置の排紙部にも適用可能である。
【００８４】
【発明の効果】
以上説明したように、本発明の後処理装置により、以下の優れた効果が得られる。
【００８５】
（１）　排紙ローラ対から排出される綴じ処理された複数の冊子をずらせて載置する事により、昇降排紙台の用紙載置面上に排出される複数の冊子同士の綴じ部が積重して嵩張る事がないから、昇降排紙台上の冊子積載部数を増大させる事が可能である。
【００８６】
（２）　冊子同士の綴じ部が積重して嵩張る事がないから、昇降排紙台上に積載される冊子の傾き発生が防止され、冊子の落下が回避される。
【００８７】
（３）　複数の冊子をずらせて載置する事により、昇降排紙台上に積載される冊子を、まとまったジョブ間に仕切る事も可能である。
【００８８】
（４）　従来の後処理装置において、複数の冊子の綴じ針の打針部分が分厚くなり、この分厚くなった部分に、後続の冊子の先端部が突き当たり排紙不良を発生する問題が解消される。
【図面の簡単な説明】
【図１】画像形成装置、画像読み取り装置、後処理装置から成る画像形成システムの全体構成図。
【図２】画像形成システムの外観斜視図。
【図３】後処理装置の用紙搬送経路を示す模式図。
【図４】冊子直交移動手段の第１の実施の形態を示す昇降排紙台、冊子直交移動手段及び排紙ローラ対の平面図、及び昇降排紙台及び冊子のＡ−Ａ断面図。
【図５】第２の実施の形態の冊子直交移動手段を備えた綴じ処理部の平面図。
【図６】第３の実施の形態の冊子直進移動手段を備えた排紙部の断面図。
【図７】他の実施の形態の冊子直進移動手段を備えた排紙部の断面図。
【図８】第４の実施の形態の冊子直進移動手段を備えた排紙部の断面図。
【図９】昇降排紙台の用紙載置面上に載置された冊子の配置を示す平面図。
【図１０】Ｘ方向移動台とＹ方向移動台とから成る複合移動手段の平面図。
【符号の説明】
２６　排紙ローラ対
２６０　排紙ローラユニット
３０　綴じ処理部
３５　用紙載置台
３６　整合手段
３６Ａ，３６Ｂ　幅整合板
３８　排出ベルト
４０　綴じ手段（ステイプル手段）
６０　排紙部
６２　昇降排紙台
６３　排出ベルト（可動手段）
６６　可動排紙皿（可動手段）
７０　冊子直交移動手段
７１　用紙案内部材
Ａ　画像形成装置
ＦＳ　用紙後処理装置（後処理装置）
Ｓａ，Ｓａ１，Ｓａ２，Ｓａ３　冊子
ＳＰ　綴じ針
Ｗ　複合方向
Ｘ　用紙排出方向
Ｙ　用紙幅方向
【図１】
2004026399.tif 000003
【図２】
2004026399.tif 000004
【図３】
2004026399.tif 000005
【図４】
2004026399.tif 000006
【図５】
2004026399.tif 000007
【図６】
2004026399.tif 000008
【図７】
2004026399.tif 000009
【図８】
2004026399.tif 000010
【図９】
2004026399.tif 000011
【図１０】
2004026399.tif 000012